(57)【要約】【課題】雨樋保持具の上面だけでなく側面に付着した雨水等の水分を適切に軒樋側に流すことができ、且つ、軒樋の位置調整用のねじ部の錆付きを抑制できる雨樋保持具を提供する。【解決手段】雨樋保持具１は、基台部２１と支持部２２と保持部３とを備える。基台部２１は、鼻板に取り付けられる。支持部２２は、基台部２１から前方に延びている。保持部３は、支持部２２の前側に設けられ、軒樋５を保持する。支持部２２の側面の少なくとも一方から、側方片２３が側方に延出している。側方片２３の側端部から、壁片２４が略鉛直上方に延出している。側方片２３の上面は支持部２２の上面よりも下方であり、側方片２３の上面と壁片２４と支持部２２の側面とで、雨水経路７が形成されている。雨水経路７の流出口７１の位置は、保持部３に保持される軒樋５の後壁５２よりも前方であり、軒樋５の前壁５１よりも後方であり、後壁５２の上端部より上方である。【選択図】図１
2019127719.tif 000002
【特許請求の範囲】
【請求項１】
鼻板に取り付けられる基台部と、
前記基台部から前方に延びた支持部と、
前記支持部の前側に設けられ、屋根先付近で軒樋を保持する保持部と、を備え、
前記支持部の側面の少なくとも一方から、側方片が側方に延出しており、
前記側方片の側端部から、壁片が略鉛直上方に延出しており、
前記側方片の上面は前記支持部の上面よりも下方であり、前記側方片の上面と前記壁片と前記支持部の側面とで、雨水経路が形成されており、
前記雨水経路の流出口の位置は、前記保持部に保持される軒樋の後壁よりも前方であり、前記保持部に保持される軒樋の前壁よりも後方であり、前記後壁の上端部よりも上方である、雨樋保持具。
【請求項２】
前記側方片の後端部と前記壁片の後端部とは、前記基台部の前面に接続しており、
前記側方片の後端部と前記基台部との接続位置は、前記基台部の上面と下面との間である、請求項１記載の雨樋保持具。
【請求項３】
前記側方片の下面には、前記保持部の側面に略垂直なリブが、前記保持部の側面から前記側方片の側端部にかけて設けられている、請求項１又は２記載の雨樋保持具。
【請求項４】
前記リブは、前記保持部に保持される軒樋の後壁よりも前方であり、前記保持部に保持される軒樋の前壁よりも後方である、請求項３記載の雨樋保持具。
【請求項５】
前記保持部と前記支持部とは別体であり、
前記保持部の前記支持部に連結している部分である連結部の上面には、凹凸を有する第１凹凸部が前後方向に沿って設けられており、
前記支持部の下面には、凹凸を有する第２凹凸部が前後方向に沿って設けられており、
前記第１凹凸部と前記第２凹凸部とは、前記保持部と前記支持部とを前後方向における複数の固定位置で固定きるように、複数の位置で噛み合う凹凸を有する、請求項１〜４のいずれか一項記載の雨樋保持具。
【請求項６】
前記第１凹凸部は、上下方向の凹凸を有しており、
前記第２凹凸部は、前記第１凹凸部の凹凸に対応した上下方向の凹凸を有する、請求項５記載の雨樋保持具。
【発明の詳細な説明】
【技術分野】
【０００１】
本発明は、軒先において鼻板に設置される雨樋保持具に関する。
【背景技術】
【０００２】
従来、雨樋を設置するための吊具であって、吊具上面に付着した雨水等の水分を軒樋に流すような雨水経路が設けられた吊具が知られている（例えば、特許文献１）。特許文献１に係る軒樋吊具では、吊具のアーム部上面の両方の側端部から雨水堰き止め部が設けられており、アーム部上面に付着した水分を軒樋に流すことができる。
【先行技術文献】
【特許文献】
【０００３】
【特許文献１】特開２００８−１２７９６５号公報
【発明の概要】
【発明が解決しようとする課題】
【０００４】
しかしながら、特許文献１のような軒樋吊具を用いても、吊具の側面に付着した水分に関しては、軒樋に流すことができない。また、このような吊具においては、その上面に軒樋の設置位置調整用のねじ部を有するのが一般的であるため、吊具の上面を雨水等の水分の経路とすれば、ねじ部の錆付きを促進し、軒樋の位置調整が困難となる場合がある。
【０００５】
本発明は、かかる課題に鑑みてなされたものである。その目的は、雨樋保持具の上面だけでなく側面に付着した雨水等の水分を適切に軒樋側に流すことができ、且つ、軒樋の位置調整用のねじ部の錆付きを抑制できる雨樋保持具を提供することである。
【課題を解決するための手段】
【０００６】
上記課題を解決するため、本発明に係る雨樋保持具は、鼻板に取り付けられる基台部と、前記基台部から前方に延びた支持部と、前記支持部の前側に設けられ、屋根先付近で軒樋を保持する保持部と、を備え、前記支持部の側面の少なくとも一方から、側方片が側方に延出しており、前記側方片の側端部から、壁片が略鉛直上方に延出しており、前記側方片の上面は前記支持部の上面よりも下方であり、前記側方片の上面と前記壁片と前記支持部の側面とで、雨水経路が形成されており、前記雨水経路の流出口の位置は、前記保持部に保持される軒樋の後壁よりも前方であり、前記保持部に保持される軒樋の前壁よりも後方であり、前記後壁の上端部よりも上方である。
【発明の効果】
【０００７】
本発明に係る雨樋保持具を用いれば、雨樋保持具の上面や側面に付着した雨水等の水分を適切に軒樋側に流すことができ、且つ、軒樋の位置調整用のねじ部の錆付きを抑制することができる。
【図面の簡単な説明】
【０００８】
【図１】実施の形態１に係る雨樋保持具の上方からの模式的な斜視図
【図２】実施の形態１に係る雨樋保持具の模式的な断面図
【図３】実施の形態１に係る雨樋保持具の下方からの模式的な斜視図
【発明を実施するための形態】
【０００９】
以下では、実施の形態に係る雨樋保持具について、図面を用いて詳細に説明する。なお、以下に説明する実施の形態は、いずれも本発明の一例を示すものであって、数値、形状
、構成要素、素材等についても一例に過ぎず、本発明を限定する趣旨のものではない。
【００１０】
また、各図は模式図であり、必ずしも厳密に図示されたものではない。また、各図において、実質的に同一の構成については、同一の符号を付しており、重複する説明は省略又は簡略化することがある。
【００１１】
（実施の形態１）
以下では、図１〜３を用いて実施の形態１に係る雨樋保持具について説明する。図１は、実施の形態１に係る雨樋保持具の上方からの模式的な斜視図である。図２は、実施の形態１に係る雨樋保持具の模式的な断面図である。図３は、実施の形態１に係る雨樋保持具の下方からの模式的な斜視図である。
【００１２】
［構成］
雨樋保持具１は、屋根先付近において軒樋５を保持するために用いられ、鼻板に所定の間隔で設置される。雨樋保持具１は、基台部２１において鼻板に設置される。基台部２１からは、雨樋保持具１の前方に向かって支持部２２が設けられている。支持部２２には、軒樋５を保持するための保持部３が設けられている。軒樋５としては、例えば、樹脂製や金属製のものを用いることができる。
【００１３】
雨樋保持具１は、基台部２１と、支持部２２と、保持部３とを備える。基台部２１は、雨樋保持具１を鼻板に設置するための部分である。支持部２２は、保持部３を支持するための部分である。保持部３は、軒樋５を保持するための部分である。
【００１４】
雨樋保持具１は、支持部２２の両方の側面に雨水経路７を有する。雨水経路７は、支持部２２の側面と側方片２３と壁片２４とに囲まれた部分であり、支持部２２の上面や側面に付着した雨水等の水分を軒樋５側へと流すための経路である。
【００１５】
側方片２３は、支持部２２の側面から側方に延出した板状の部材である。また、壁片２４は、側方片２３の側端部から略鉛直上方に延出した板状の部材である。支持部２２の側面と側方片２３と壁片２４とによって三方を囲まれた空間が雨水経路７である。
【００１６】
このように、支持部２２の側面に設けられた雨水経路７を通して水分を軒樋５側に流すことで、雨樋保持具１の上面や側面に付着した雨水等の水分を適切に軒樋５側に流すことができ、且つ、軒樋５の位置調整用のねじ６部分の錆付きを抑制することができる。なお、実施の形態１において、雨水経路７は、支持部２２の両方の側面に設けられているが、どちらか一方の側面にのみ雨水経路７が設けられていてもよい。
【００１７】
保持部３は、連結部３１を介して支持部２２に支持される。より具体的には、連結部３１に開口したねじ挿通空間３５と支持部２２に開口したねじ用孔２６とにねじ６を挿し込むことで、保持部３と支持部２２とが連結される。
【００１８】
ここで、連結部３１の上面に上下に凹凸した第１凹凸部３４が設けられており、また、支持部２２の下面に上下に凹凸した第２凹凸部２５が設けられている。これら第１凹凸部３４と第２凹凸部２５とが有する凹凸とは、複数の位置において互いに噛み合うように設けられている。
【００１９】
そして、第１凹凸部３４及び第２凹凸部２５の凹凸が噛み合う位置に応じて、保持部３を支持部２２に固定した際の、保持部３と支持部２２との前後方向での位置関係が決定する。つまり、第１凹凸部３４及び第２凹凸部２５の凹凸を所望の位置で噛み合せた後に、ねじ６で保持部３と支持部２２とを固定することで、軒樋５を保持する保持部３の固定位
置を調整することができる。これによって、軒樋５の位置が屋根先の適切な位置になるように調節することができる。
【００２０】
また、側方片２３の下面には、支持部２２の側面から、側方片２３の側端部にかけてリブ２８が設けられている。リブ２８を設けることで、支持部２２の下面又は側方片２３の下面に付着した雨水等の水分を軒樋５側に流し、鼻板側に流れることを抑制することができる。
【００２１】
以下からは、雨樋保持具１の各構成要素をより詳細に説明する。
【００２２】
［基台部］
基台部２１は、雨樋保持具１を鼻板に設置するための部分である。基台部２１には複数の孔が設けられている。基台部２１の孔を通してねじや釘等を鼻板に打ち込むことで、雨樋保持具１は鼻板に固定される。基台部２１は、例えば、樹脂や金属等の素材によって形成することができる。
【００２３】
なお、雨樋保持具１の鼻板への固定方法は、ねじや釘等を打ち込むものに限定されない。例えば、接着剤等によって基台部２１の後面と鼻板とを接着することで、雨樋保持具１を鼻板に固定してもよい。この場合、雨樋保持具１は、ねじや釘等を通すための孔を備えなくてよい。
【００２４】
［支持部］
支持部２２は、保持部３を支持するための部分である。支持部２２は、基台部２１の前面２７から、雨樋保持具１の前方に向かって延出している。実施の形態１において、支持部２２は、基台部２１の前面２７の上端部中央付近から延出している。支持部２２の両方の側面には、雨水経路７が設けられている。支持部２２は、例えば、樹脂や金属等の素材によって形成することができる。
【００２５】
雨水経路７は、支持部２２の側面と側方片２３と壁片２４とに三方を囲まれた空間である。また、支持部２２の下面には、上下の凹凸を有する第２凹凸部２５が設けられている。また、側方片２３の下面には、リブ２８が設けられている。
【００２６】
また、雨水経路７の流出口７１の位置は、保持部３に保持される軒樋５の前壁５１よりも後方であり、保持部３に保持される軒樋５の後壁５２より前方であり、保持部３に保持される軒樋５の後壁５２の上端部より上方である。ここで、流出口７１とは、雨水経路７内の水分が軒樋５側に流出する開口であり、実施の形態１においては、雨水経路７の前端部である。この構成によって、雨水経路７を通って流れる水分を、適切に軒樋５に流し入れることができる。
【００２７】
側方片２３は、支持部２２の側面から側方に延出した板状の部材である。また、壁片２４は、側方片２３の側端部から略鉛直上方に延出した板状の部材である。実施の形態１において、基台部２１と支持部２２とは一体に形成され、取付部材２を構成している。取付部材２は、基台部２１と、支持部２２と、側方片２３と、壁片２４とを備える。
【００２８】
なお、基台部２１と支持部２２とは一体に形成されたものに限定されない。例えば、支持部２２がねじや釘や接着剤等によって基台部２１に固定されるような構成とすることもできる。
【００２９】
ここで、側方片２３の側端部から略鉛直上方に壁片２４が延出していると説明したが、この「略鉛直上方」には、鉛直上方から多少傾いたものも含まれる。例えば、壁片２４は
、鉛直上方から５〜１０度程度傾いていても、雨水経路７内の水分が側方に流れるのを抑制することができればよい。
【００３０】
雨水経路７は、雨樋保持具１の前方に向かって傾いていることが好ましい。雨水経路７が前方に傾いていることで、雨水経路７内の水分を重力により軒樋５側に流すことができる。ここで、雨水経路７が前方に傾く態様としては、例えば、側方片２３が一様な傾きで前方に傾いていることで、雨水経路７が前方に傾いている構成とすることができる。
【００３１】
或いは、側方片２３が前方に下るように複数の段差を有することで、雨水経路７が前方に傾いている構成としてもよい。或いは、側方片２３の後方は略水平であり、側方片２３の前方が前側に傾いていることで、雨水経路７が全体で前方に傾いている構成としてもよい。或いは、側方片２３が傾きを変化させながら前方に傾いていることで、雨水経路７が前方に傾く態様としてもよい。
【００３２】
また、側方片２３は、支持部２２の側面の下端部から延出していることが好ましい。側方片２３が支持部２２の側面の下端部から延出していることで、支持部２２の側面のどこに付着した水分であっても、雨水経路７を通して、軒樋５側に流すことができる。
【００３３】
また、側方片２３の後端部及び壁片２４の後端部は、基台部２１の前面２７に繋がっていることが好ましい。さらに、側方片２３の後端部の基台部２１との接続位置は、基台部２１の前面２７の上端及び下端の間であることが好ましい。この構成によって、雨水経路７の後端部は、基台部２１の前面２７により塞がれるため、雨水経路７内の水分が鼻板側に行くのを抑制することができる。
【００３４】
ここで、保持部３と支持部２２との前後方向の位置関係を調整できる場合における「保持部３に保持される軒樋５の前壁５１よりも後方」とは、軒樋５が基台部２１から最も近い状態の軒樋５の前壁５１より後方であることを意味する。同様に、保持部３と支持部２２との前後方向の位置関係を調整できる場合における「保持部３に保持される軒樋５の後壁５２より前方」とは、軒樋５が基台部２１から最も遠い状態の軒樋５の後壁５２より前方であることを意味する。
【００３５】
側方片２３の下面には、側方片２３に略垂直なリブ２８が設けられている。リブ２８は、側方片２３の下面において、支持部２２の側面から側方片２３の側端部にかけて設けられている。リブ２８を有することにより、側方片２３の下面に付着した水分は、リブ２８部分から下方に滴下するため、側方片２３の下面に付着した水分を軒樋５に流し入れることができる。
【００３６】
ここで、リブ２８の位置としては、保持部３に保持される軒樋５の前壁５１よりも後方であり、保持部３に保持される軒樋５の後壁５２より前方であることが好ましい。この構成によって、側方片２３の下面に付着した水分を、より適切に軒樋５に流し入れることができる。
【００３７】
ここで、保持部３と支持部２２との前後方向の位置関係を調整できる場合における「保持部３に保持される軒樋５の前壁５１よりも後方」とは、軒樋５が基台部２１から最も近い状態の軒樋５の前壁５１より後方であることを意味する。同様に、保持部３と支持部２２との前後方向の位置関係を調整できる場合における「保持部３に保持される軒樋５の後壁５２より前方」とは、軒樋５が基台部２１から最も遠い状態の軒樋５の後壁５２より前方であることを意味する。
【００３８】
支持部２２の下面には、上下方向に凹凸した第２凹凸部２５が設けられている。第２凹
凸部２５は、保持部３の連結部３１の上面に設けられた第１凹凸部３４の凹凸と噛み合う凹凸を有する。実施の形態１において、第２凹凸部２５は、雨樋保持具１の前後方向に沿って連なった上下方向の凹凸を２本有している。
【００３９】
支持部２２の前方には、保持部３を連結固定するために用いられるねじ用孔２６が設けられている。ねじ用孔２６は、ねじ６を挿入できる大きさの円柱形状の孔である。また実施の形態１においては、ねじ用孔２６を挿通した後に支持部２２の上面側でねじ６を固定するための固定具６１を設けている。固定具６１には、例えば、ナットのように筒状でその内側にねじ山が刻まれているものを使用することができる。
【００４０】
なお、ねじ用孔２６を筒状とし、その内側にねじ山が刻まれている構成としてもよい。この場合、雨樋保持具１は、固定具６１を備える必要はない。また、ねじ用孔２６の形状は、円柱形状に限定されない。ねじ用孔２６は、ねじ６を挿入可能であれば、例えば、三角柱や四角柱や五角柱や六角柱等であってもよい。
【００４１】
［保持部］
保持部３は、軒樋５を保持するための部分である。保持部３は、連結部３１と、第１軒樋係止部３２と、第２軒樋係止部３３とを有する。第２軒樋係止部３３は、第１係止片３３ａと第２係止片３３ｂとを有する。軒樋５は、第１軒樋系止部３２及び第２軒樋係止部３３によって保持される。
【００４２】
第１軒樋係止部３２は、軒樋５の前壁５１の上部を引っ掛けることで、軒樋５を保持する。第１軒樋係止部３２は、軒樋５の前壁５１の上端部を引っ掛けるための凹部を備える。また、軒樋５の前壁５１の上部は、軒樋５の内側に向かって屈曲している。第１軒樋係止部３２の凹部に軒樋５の前壁５１の屈曲部分を引っ掛けることで、第１軒樋係止部３２は軒樋５を保持する。
【００４３】
第２軒樋係止部３３は、第１係止片３３ａと第２係止片３３ｂとによって、軒樋５を保持する。軒樋５の後壁５２の上部は、軒樋５の内側に向かって屈曲している。第１係止片３３ａは、軒樋５の後壁５２の上部の屈曲部分を引っ掛けるための突起を備えている。第２軒樋係止部３３は、第１係止片３３ａによって軒樋５の後壁５２を引っ掛けること、及び、第１係止片３３ａ及び第２係止片３３ｂによって軒樋５の後壁５２を挟むことで軒樋５を保持する。
【００４４】
実施の形態１において、第１軒樋係止部３２は、保持部３の前方に設けられている。また、実施の形態１において、第２軒樋係止部３３は、保持部３の後方に設けられている。第２軒樋係止部３３の第１係止片３３ａは、第２係止片３３ｂよりも前方に設けられている。
【００４５】
連結部３１は、支持部２２と連結するための部分である。連結部３１は、平面視で、雨樋保持具１の前後方向に沿った略長方形状である。連結部３１は、第１凹凸部３４とねじ挿通空間３５とを有する。ねじ挿通空間３５は、雨樋保持具１の前後方向に沿った略長方形状の孔である。
【００４６】
なお、ねじ挿通空間３５の形状は、長方形に限定されず、例えば、楕円形等の形状であってもよい。ねじ挿通空間３５は、ねじ６のねじ部分は挿入できるがねじ頭部分は挿入できない程度の大きさであればよい。
【００４７】
或いは、ねじ挿通空間３５は、複数のねじを挿入可能な孔を有するような構成としてもよい。この場合、ねじ挿入空間３５の孔のうち、保持部３と支持部２２とを固定した際の
保持部３及び支持部２２の前後方向の位置関係に応じた孔にねじ６を挿入することで、所望の位置関係において保持部３を支持部２２に固定することができる。
【００４８】
連結部３１の上面には、第１凹凸部３４が設けられている。実施の形態１においては、２本の第１凹凸部３４が、ねじ挿通空間３５の開口に沿って、ねじ挿通空間３５の側方に隣接して設けられている。第１凹凸部３４は、第２凹凸部２５の凹凸と噛み合う、上下方向の凹凸を有する。また、第１凹凸部３４は、支持部２２と保持部３との連結時において第２凹凸部２５と噛み合う位置に設けられている。
【００４９】
支持部２２と保持部３とを連結する際には、軒樋５が所望の位置になるように第１凹凸部３４と第２凹凸部２５とを噛み合わせ、支持部２２のねじ用孔２６及び保持部３のねじ挿通空間３５にねじ６を挿入し固定具６１によって固定する。
【００５０】
［実施の形態に係る雨樋保持具の効果等］
ここで、あらためて、実施の形態１に係る雨樋保持具１の要点について説明する。
【００５１】
実施の形態１に係る雨樋保持具１は、基台部２１と、支持部２２と、保持部３と、を備える。基台部２１は、鼻板に取り付けられる部分である。支持部２２は、基台部２１から前方に延びた部分である。保持部３は、支持部２２の前側に設けられ、屋根先付近で軒樋５を保持する部分である。支持部２２の側面の少なくとも一方から、側方片２３が側方に延出している。側方片２３の側端部から、壁片２４が略鉛直上方に延出している。側方片２３の上面は支持部２２の上面よりも下方であり、側方片２３の上面と壁片２４と支持部２２の側面とで、雨水経路７が形成されている。雨水経路７の流出口７１の位置は、保持部３に保持される軒樋５の後壁５２よりも前方であり、保持部３に保持される軒樋５の前壁５１よりも後方であり、保持部３に保持される軒樋５の後壁５２の上端部より上方である。
【００５２】
上記構成を有する雨樋保持具を用いれば、雨樋保持具１の上面や側面に付着した雨水等の水分を適切に軒樋５側に流すことができ、且つ、軒樋５の位置調整用のねじ６部分の錆付きを抑制することができる。
【００５３】
また、実施の形態１に係る雨樋保持具１は、側方片２３の後端部と壁片２４の後端部とは、基台部２１の前面２７に接続しており、側方片２３の後端部の基台部２１との接続位置は、基台部２１の上面と下面との間であることが好ましい。
【００５４】
上記構成により、雨水経路７の後端部は、基台部２１の前面２７により塞がれるため、雨水経路７内の水分が鼻板側に行くのを抑制することができる。
【００５５】
また、実施の形態１に係る雨樋保持具１は、側方片２３の下面には、保持部３の側面に略垂直なリブが、保持部３の側面から側方片２３の側端部にかけて設けられていることが好ましい。
【００５６】
上記構成により、側方片２３の下面に付着した水分は、リブ２８部分から下方に滴下するため、側方片２３の下面に付着した水分を軒樋５に流し入れることができる。
【００５７】
また、実施の形態１に係る雨樋保持具１は、リブ２８は、保持部３に保持される軒樋５の後壁５２よりも前方であり、保持部３に保持される軒樋５の前壁５１よりも後方であることが好ましい。
【００５８】
上記構成により、側方片２３の下面に付着した水分を、より適切に軒樋５に流し入れる
ことができる。
【００５９】
また、実施の形態１に係る雨樋保持具１は、保持部３と支持部２２とは別体であり、保持部３の支持部２２に連結している部分である連結部３１の上面に第１凹凸部３４が、支持部２２の下面に第２凹凸部２５が設けられていることが好ましい。ここで、第１凹凸部３４は、連結部３１の上面において前後方向に沿って設けられた凹凸を有する。また、第２凹凸部２５は、支持部２２の下面において前後方向に沿って設けられた凹凸を有する。そして、第１凹凸部３４と第２凹凸部２５とは、保持部３と支持部２２とを前後方向における複数の固定位置で固定きるように、複数の位置で噛み合う凹凸を有する。
【００６０】
上記構成により、第１凹凸部３４及び第２凹凸部２５の凹凸を所望の位置で噛み合せた後に、保持部３と支持部２２とを固定することで、軒樋５を保持する保持部３の固定位置を調整することができる。これによって、軒樋５の位置が屋根先の適切な位置になるように調節することができる。
【００６１】
また、実施の形態１に係る雨樋保持具１は、第１凹凸部３４は、上下方向の凹凸を有しており、第２凹凸部２５は、第１凹凸部３４の凹凸に対応した上下方向の凹凸を有することが好ましい。
【００６２】
上記構成により、保持部３と支持部２２とを固定する際の前後方向の位置関係を調整することができ、且つ、保持部３を支持部２２に一旦固定すれば、保持部３が固定位置からずれることを抑制することができる。
【００６３】
（その他の実施の形態）
以上、実施の形態１を用いて、本発明に係る雨樋保持具について説明してきたが、本発明は、実施の形態１に係る雨樋保持具１に限定されるものではない。例えば、実施の形態１では、固定した際における保持部３と支持部２２と前後方向の位置関係は調整可能であると説明したが、保持部３と支持部２２との関係はこれに限定されない。
【００６４】
例えば、保持部３のねじ挿通空間３５が円柱形等であるため、固定時における保持部３と支持部２２との前後方向の位置関係を調整できないような態様で支持されていてもよい。或いは、保持部３と支持部２２とが一体に形成されていてもよい。
【００６５】
また、実施の形態１では、軒樋５をその前壁５１の上端部及び後壁５２の上端部によって引っ掛けて吊るすように保持する構成を説明したが、保持部３の構成はこれに限定されない。例えば、保持部３が軒樋５の前壁５１の一部と下壁と後壁５２の一部に沿った形状となっており、その保持部３で軒樋５を受け止めるように保持するような構成としてもよい。
【００６６】
また、実施の形態１では、第１凹凸部３４と第２凹凸部２５とは、対応する上下方向の凹凸をそれぞれ有するように説明したが、第１凹凸部３４及び第２凹凸部２５の構成はこれに限定されない。例えば、第１凹凸部３４と第２凹凸部２５とは、雨樋保持具１の横方向の凹凸を備えていてもよい。
【００６７】
第１凹凸部３４と第２凹凸部２５とが横方向の凹凸を有する場合の一例では、連結部３１は、上に凸の凸部を備え、第１凹凸部３４は、連結部３１のその凸部の側面に横方向の凹凸を有する。また、支持部２２の下面には、連結部３１の凸部を挿入可能な凹部が設けられており、第２凹凸部２５は、支持部２２のその凹部の側面に横方向の凹凸部を有する。
【００６８】
そして、保持部３と支持部２２とは、連結部３１の凸部を支持部２２の凹部に、第１凹凸部３４と第２凹凸部２５の凹凸が噛み合うように挿入した後に、ねじ６を用いて固定される。このような固定方法でもあっても、第１凹凸部３４と第２凹凸部２５とが上下方向の凹凸を有する場合と同様の効果を得ることができる。
【００６９】
或いは、雨樋保持具１は、第１凹凸部３４及び第２凹凸部２５を備えなくてもよい。しかしながら、第１凹凸部３４と第２凹凸部２５とを備える方が、保持部３が固定位置からずれることをより抑制することができるため、好ましい。
【００７０】
また、実施の形態１において、支持部２２と保持部３とは、ねじ６によって固定する構成を説明してきたが、支持部２２と保持部３との固定方法はこれに限定されない。例えば、連結部３１の上面が前後方向に延びた断面形状Ｔ字状の突出部を有し、且つ、支持部２２の下面に、連結部３１のＴ字状の突出部が嵌め込める断面Ｔ字状の空間があるような構成としてもよい。
【００７１】
この構成により、連結部３１のＴ字状突出部を支持部２２のＴ字状の空間に嵌めこむことで、保持部３を支持部２２で保持することができる。この構成の場合、Ｔ字状突出部とＴ字状の空間とをほとんど隙間がないようにし、第１凹凸部３４と第２凹凸部２５とを備えない構成とすることで、保持部３を支持部２２に前後方向にスライド可能に保持することができる。
【００７２】
なお、上述の各実施の形態については、本発明の実施態様の例示に過ぎず、数値や形状や構成要素や素材等についても好ましいものの例示に過ぎず、本発明はこれらの実施の形態にのみ限定されるものではない。また、上記の実施の形態における構成要素のうち、最上位概念を示す独立請求項に記載されていない構成要素については、任意の構成要素である。本発明の技術的思想の範囲を逸脱しない範囲で、構成に適宜変更を加えることは可能である。
【符号の説明】
【００７３】
１        雨樋保持具
２１      基台部
２２      支持部
２３      側方片
２４      壁片
２５      第２凹凸部
３        保持部
３４      第１凹凸部
５        軒樋
５１      前壁
５２      後壁
７        雨水経路
【図１】
2019127719.tif 000003
【図２】
2019127719.tif 000004
【図３】
2019127719.tif 000005